(57)【要約】      （修正有）【課題】標準仕様の乗客コンベヤと同等の簡素な構造の内レッジ照明装置を備えた乗客コンベヤを提供する。【解決手段】循環移動する多数のステップによって通路が形成されている。この通路の両側に沿って欄干パネル３が立設されている。この欄干パネルの上端部には手摺デッキ４が支持され、この手摺デッキには、ステップと同期して移動する手摺ベルトが摺動自在に支持されている。欄干パネルの下端部内側には、内側に向かって下方に傾斜した傾斜面７ａを有する内レッジ７が設けられている。この内レッジの傾斜面には光放出穴が設けられ、この光放出穴を覆うように透光性部材８が内レッジ７に取り付けられている。内レッジの内部には光源１０が設けられている。【選択図】図３
2007084219.tif 000002
【特許請求の範囲】
【請求項１】
循環移動する多数のステップによって形成された通路と、この通路の両側に沿って立設された欄干パネルと、この欄干パネルの上端部に支持され、前記ステップと同期して移動する手摺ベルトを摺動自在に支持する手摺デッキと、前記欄干パネルの下端部内側に設けられ、内側に向かって下方に傾斜した傾斜面を有する内レッジと、この内レッジの傾斜面に設けられた光放出穴と、この光放出穴を覆う透光性部材と、前記内レッジの内部に設けられた光源と、を備えたことを特徴とする乗客コンベヤ。
【請求項２】
前記光源を点滅させる制御装置を備えたことを特徴とする請求項１記載の乗客コンベヤ。
【請求項３】
前記ステップの両側に設けられたスカートガードが押されたのを検知するセンサを備え、このセンサが前記スカートガードが押されたのを検知すると前記制御装置が前記光源を点滅させることを特徴とする請求項２記載の乗客コンベヤ。
【発明の詳細な説明】
【技術分野】
【０００１】
本発明は、照明装置を備えた乗客コンベヤに関する。
【背景技術】
【０００２】
従来、エスカレータや動く歩道等の乗客コンベヤの照明装置としては、欄干照明が一般的に知られているが、欄干照明が設置できないスリムタイプの乗客コンベヤでは、コンベヤ全体が暗くなるという問題点が有った。特に、乗客の手元や足元が暗くなると、乗客は不安を感じることが多い。
【０００３】
これを解決するものとしては、例えば、実開平３−９１４７９号公報に示すようにスカートガード内部に照明装置を設けたものや、実開平４−１３３６７０号公報に示すように外デッキ内部に照明装置を設けたものや、特開２００４−２０３６１９号公報に示すように内レッジの傾斜面に凹部を設け、その内部に照明装置を設けたもの等が提案されている。
【特許文献１】実開平３−９１４７９号公報
【特許文献２】実開平４−１３３６７０号公報
【特許文献３】特開２００４−２０３６１９号公報
【発明の開示】
【発明が解決しようとする課題】
【０００４】
上述したように、従来、欄干照明が設置できない場合等のために、様々な照明装置が提案されている。
【０００５】
しかしながら、スカートガード照明では、乗客の足元しか照らすことができず、外デッキ照明では、外デッキと建屋外装の間のスペースに制限があるため、照明装置のメンテナンス作業を行いづらいという問題点が有った。
【０００６】
また、内レッジに凹部を設け、その内部に照明装置を設けたものでは、乗客の手元まで照らすことができ、建屋との間のスペースの制限が無い等の利点が有るものの、標準仕様の乗客コンベヤに比べて構造が複雑であり、内レッジを着脱する場合に手間がかかるという問題点が有った。
【０００７】
本発明は上記問題点に鑑みてなされたものであり、その目的は、標準仕様の乗客コンベヤと同等の簡素な構造の内レッジ照明装置を備えた乗客コンベヤを提供することにある。
【課題を解決するための手段】
【０００８】
上記目的を達成するために、本発明の乗客コンベヤは、循環移動する多数のステップによって形成された通路と、この通路の両側に沿って立設された欄干パネルと、この欄干パネルの上端部に支持され、前記ステップと同期して移動する手摺ベルトを摺動自在に支持する手摺デッキと、前記欄干パネルの下端部内側に設けられ、内側に向かって下方に傾斜した傾斜面を有する内レッジと、この内レッジの傾斜面に設けられた光放出穴と、この光放出穴を覆う透光性部材と、前記内レッジの内部に設けられた光源と、を備えたことを特徴としている。
【発明の効果】
【０００９】
本発明の乗客コンベヤは、標準仕様の乗客コンベヤと同等の簡素な構造内であるため、内レッジを着脱する作業が容易である。
【発明を実施するための最良の形態】
【００１０】
以下、本発明の一実施形態を図面に基づいて説明する。図１は本発明の一実施形態であるエスカレータを下階側から見た正面図、図２は図１のエスカレータの内側の側面図であり、内レッジを外した状態を示す図、図３は図１のエスカレータの要部縦断面図、図４は内レッジの拡大断面図、図５は図４をＡ方向に見た図、図６は図４をＢ方向に見た図である。
【００１１】
図１に示すように、このエスカレータは、循環移動する多数のステップ１によって形成された通路２を備えている。この通路２の両側に沿って欄干パネル３（図２参照）が立設されており、その上部には手摺りデッキ４（図３参照）が支持されている。
【００１２】
この手摺デッキ４には、手摺ベルト５が摺動自在に支持されており、ステップ１と同期して移動する。ステップ１の両側には板状のスカートガード６が垂直に設けられており、その上端部と欄干パネル３の下端部との間にまたがるように内レッジ７が設けられている。
【００１３】
この内レッジ７は、剛性を有する金属製の板材をくの字形に折り曲げることによって形成されており、内側に向かって下方に傾斜した傾斜面７ａを有している。この傾斜面７ａには、ステップ１の進行方向に延びるスリット状の光放出穴７ｂ（図５参照）が形成されている。
【００１４】
そして、図４、図６に示すように、内レッジ７の傾斜面７ａの裏面には、内方に向かって突出したスタッド７ｃが設けられており、このスタッド７ｃには、光放出穴７ｂを全長にわたって覆うように形成された矩形板状の透光性部材８がボルト９（図４参照）によって固定されている。この透光性部材８は、例えばアクリル等によって形成され、内レッジ７内部が外側から見えにくいように半透明となっている。
【００１５】
図３に示すように、内レッジ７の内部には、光源１０と、この光源１０の光を光放出穴７ｂに向けて反射する反射部材１１とが設けられている。なお、１２は乗客コンベヤの構造物であるトラス、１３は外デッキである。また、１４はエスカレータ全体の制御を司る制御装置で、光源１０はこの制御装置１４からの信号に基づいて点灯し、明るさが制御されるようになっている。
【００１６】
このような構成によれば、光源１０の光が透光性部材８及び光放出穴７ｂを通して手摺ベルト５及び欄干パネル３を明るく照らすので、安全性を高めることができる。
【００１７】
また、この乗客コンベヤの照明装置は標準仕様の乗客コンベヤと同等の簡素な構造であり、内レッジに凹部を設けて照明装置を収納した場合のように、内レッジの着脱に手間がかかることはないので、メンテナンス性が良好である。特に本実施形態では、光源１０が乗客コンベヤの構造物であるトラス１２上に設置されているため、構造が簡素で取り扱い性が良い。
【００１８】
さらに、欄干照明等の他の照明装置を備えている乗客コンベヤに本実施形態の構造を適用した場合には、本実施形態の照明装置を補助照明装置として使用することで、照明が増えるので、安全性や高級感を高めることができる。
【００１９】
なお、内レッジ７に設ける光放出穴７ｂの形状はスリット状に限られるものではなく、いかなる形状であってもよい。例えば、図７（ａ）に示すような丸穴や、図７（ｂ）に示すような記号や文字の形状とすることもできる。
【００２０】
また、制御装置１４で光源１０を点滅させることによって乗客の注意を喚起し、スカートガード６とステップ１との間に異物が挟まれるのを防止するようにしてもよい。さらに、悪戯でスカートガード６が押されたり、スカートガード６とステップ１との間に異物が挟まれた場合等のために、スカートガード６が押されたのを検知するセンサ１５（図３参照）を設けておき、その検知信号に基づいて光源１０を点滅させたり、アナウンスで乗客に警告を行うようにしてもよい。
【００２１】
その他にも、本発明の要旨を逸脱しない範囲で上記実施形態に種々の改変を施すことができる。
【図面の簡単な説明】
【００２２】
【図１】本発明の一実施形態であるエスカレータを下階側から見た正面図。
【図２】図１のエスカレータの内側の側面図であり、内レッジを外した状態を示す図。
【図３】図１のエスカレータの要部縦断面図。
【図４】図１のエスカレータの内レッジの拡大断面図。
【図５】図４をＡ方向に見た図。
【図６】図４をＢ方向に見た図。
【図７】内レッジの変形例の平面図。
【符号の説明】
【００２３】
１    ステップ
２    通路
３    欄干パネル
４    手摺デッキ
５    手摺ベルト
６    スカートガード
７    内レッジ
７ａ  傾斜面
７ｂ  光放出穴
８    透光性部材
１０    光源
１４    制御装置
１５    センサ
【図１】
2007084219.tif 000003
【図２】
2007084219.tif 000004
【図３】
2007084219.tif 000005
【図４】
2007084219.tif 000006
【図５】
2007084219.tif 000007
【図６】
2007084219.tif 000008
【図７】
2007084219.tif 000009